(57)【特許請求の範囲】
【請求項１】
リヤウィンドウガラスの車室内側の上縁部の近傍に設置されるリヤアンダーミラーであって、
運転席に向けて車両の後部下方を映す反射鏡を備え、
前記反射鏡は、略上下方向が凹面になり略水平方向が凸面になる鏡面を有する凹凸面鏡を備え；
前記反射鏡の形状は、正面視で下辺が上辺よりも長い台形状であり；
前記反射鏡の前記略水平方向の前記凸面の曲率半径は、上部領域に比較して下部領域の方が大きいことを特徴とするリヤアンダーミラー。
【請求項２】
前記反射鏡の前記略水平方向の前記凸面の曲率半径は、前記上部領域から前記下部領域に向かうに連れて大きくなることを特徴とする請求項１に記載のリヤアンダーミラー。
【請求項３】
前記反射鏡の前記鏡面は、車幅方向で左右対称であることを特徴とする請求項１に記載のリヤアンダーミラー。
【請求項４】
前記反射鏡の前記略上下方向の前記凹面の曲率半径は、上部領域に比較して下部領域の方が小さいことを特徴とする請求項１に記載のリヤアンダーミラー。
【請求項５】
前記反射鏡の前記略上下方向の前記凹面の曲率半径は、前記上部領域から前記下部領域に向かうに連れて小さくなることを特徴とする請求項４に記載のリヤアンダーミラー。
【請求項６】
前記反射鏡の下端近傍の領域に、前記略上下方向の前記凹面の曲率半径が他の領域に比較して小さい強曲げ領域を備えることを特徴とする請求項１に記載のリヤアンダーミラー。
【請求項７】
前記反射鏡の前記略上下方向の前記凹面の前記下端近傍領域は、前記車両の後端部を映すことを特徴とする請求項６に記載のリヤアンダーミラー。
【発明の詳細な説明】
【技術分野】
【０００１】
本発明は、車両のリヤウィンドウの近傍に設置されて車体の後部下方を映すリヤアンダーミラーに関する。
【０００２】
本願は、２０１０年５月１７日に日本に出願された特願２０１０−１１３２６５号、および、２０１０年４月２７日に日本に出願された特願２０１０−１０２１５２号に基づき優先権を主張し、それらの内容をここに援用する。
【背景技術】
【０００３】
前述の種類のリヤアンダーミラーとして、小面積の反射面で広範囲を映すことが可能な凸面鏡が多く用いられる。しかし、凸面鏡の場合、鏡面に映る像が倒立鏡像となり、ユーザーに違和感を与え易い。
【０００４】
従来、こういった問題に対処するリヤアンダーミラーとして、略上下方向が凹面になり略水平方向が凸面となる鏡面を有する凹凸面鏡が反射鏡に用いられてきた（例えば、特許文献１参照）。
この従来のリヤアンダーミラーによれば、反射鏡の略水平方向の凸面によって車幅方向の広範囲を映し出す。そして、反射鏡の略上下方向の凹面によって正立鏡像をユーザーに視認させることができる。
【先行技術文献】
【特許文献】
【０００５】
【特許文献１】特開昭６１−２８７８４２号公報
【発明の概要】
【発明が解決しようとする課題】
【０００６】
しかし、反射鏡に凹凸面鏡を用いるこの種のリヤアンダーミラーは、反射鏡の鏡面が三次元的に湾曲する複雑な曲面を持つことになる。したがって、前後方向の奥行きが必要になる。リヤアンダーミラーがリヤウィンドウガラスの内側に設置する場合には、車室内スペースが圧迫されてしてしまう。
【０００７】
視認性を確保するために、リヤアンダーミラーの反射鏡は、ある程度以上の面積を有する必要がある。このため、奥行き方向の長さも反射鏡の面積に応じて長くなる。ところが、車体の室内後端の位置はリヤウィンドウガラスやバックドアパネルによって決められている。リヤアンダーミラーの奥行き方向の長さが長くなると、リヤアンダーミラーの前部側領域が車室内の天井側に膨出してしまう。
【０００８】
また、リヤアンダーミラーの反射鏡全体を小型にした場合には、車体の後部下方を映し出す部分の面積が小さくなる。この結果、視認性が低下してしまう。
そこで本発明は、視認性を犠牲にすることなく、車室内スペースの圧迫を低減することのできるリヤアンダーミラーを提供する事を目的の一つとする。
【課題を解決するための手段】
【０００９】
（１）本発明の一態様に係るリヤアンダーミラーは、リヤウィンドウガラスの車室内側の上縁部の近傍に設置されるリヤアンダーミラーであって、運転席に向けて車両の後部下方を映す反射鏡を備え、前記反射鏡は、略上下方向が凹面になり略水平方向が凸面になる鏡面を有する凹凸面鏡を備え；前記反射鏡の形状は、正面視で下辺が上辺よりも長い台形状であり；前記反射鏡の前記略水平方向の前記凸面の曲率半径は、上部領域に比較して下部領域の方が大きい。
（２）前記リヤアンダーミラーは、以下のように構成されてもよい：前記反射鏡の前記略水平方向の前記凸面の曲率半径は、前記上部領域から前記下部領域に向かうに連れて大きくなる。
（３）前記リヤアンダーミラーは、以下のように構成されてもよい：前記反射鏡の前記鏡面は、車幅方向で左右対称である。
（４）前記リヤアンダーミラーは、以下のように構成されてもよい：前記反射鏡の前記略上下方向の前記凹面の曲率半径は、上部領域に比較して下部領域の方が小さい。
（５）前記リヤアンダーミラーは、以下のように構成されてもよい：前記反射鏡の前記略上下方向の前記凹面の曲率半径は、前記上部領域から前記下部領域に向かうに連れて小さくなる。
（６）前記リヤアンダーミラーは、以下のように構成されてもよい：前記反射鏡の下端近傍の領域に、前記略上下方向の前記凹面の曲率半径が他の領域に比較して小さい強曲げ領域を備える。
（７）前記リヤアンダーミラーは、以下のように構成されてもよい：前記反射鏡の前記略上下方向の前記凹面の前記下端近傍領域は、前記車両の後端部を映す。
【発明の効果】
【００１０】
上記（１）に記載の態様によれば、反射鏡の上辺側の車体前後方向の占有スペースを小さくする事ができる。同時に、車体後部の近傍を反射鏡の下辺側で広い鏡面に映し出すことができる。この結果、視認性を犠牲にすることなく、車室内スペースの圧迫を低減することができる。
【００１１】
上記（１）に記載の態様によれば、反射鏡の略水平方向の凸面の曲げが下部領域で弱くなり、上部領域で強くなる。この結果、車体の後部近傍を映す反射鏡の下部領域では車幅方向の歪みの少ない像を映し出すことが可能になる。比較的遠方を映す反射鏡の上部領域では、車幅方向の広い範囲を映し出すことが可能になる。
特に、後部遠方を映す反射鏡の上部領域では、車幅方向の鏡面の長さが短くなる。上記（１）に記載の態様によれば、車幅方向の鏡面の長さが短くなる分を凸面によって鏡像の縮尺率を大きくすることによって、車幅方向の鏡面の長さが短くなる事を是正することができる。したがって、上記（１）に記載の発明によれば、車庫入れ時のように最大舵角で車両を後退させるような場合にも、車両の進行予測範囲を鏡面に確実に映し出すことができる。
【００１２】
上記（２）に記載の態様によれば、反射鏡の略水平方向の凸面の曲率半径が、上部領域から下部領域に向かうに連れて大きくなる。この結果、鏡像の歪みを低減することができる。同時に、一定速度で車両に近づく対象物の見え方の急激な変化を抑制することができる。
さらに、上記（２）に記載の態様によれば、鏡面の曲率が徐々に変化する。この結果、光の集中を防止することができる。
したがって、上記（２）に記載の態様によれば、視認性をより向上させることができる。
【００１３】
上記（３）に記載の態様によれば、鏡面が車幅方向で左右対称に形成されている。このため、凹凸面の曲率の設定が容易になる。そして、成形性の向上が可能になる。また、左右の目の視差による見難さも容易に解消することができる。
【００１４】
上記（４）に記載の態様によれば、反射鏡の略上下方向の凹面の曲げが下部領域側で強くなる。一方、反射鏡の略上下方向の凹面の曲げが上部領域側で弱くなる。この結果、車体の後部近傍を映す反射鏡の下部領域では前後方向の視認範囲を拡大して車体と車体近傍の対象物との位置関係を明確に映し出すことが可能になる。そして、比較的後部遠方を映す反射鏡の上部領域では上下方向に歪みの少ない像を映し出すことが可能になる。
【００１５】
上記（５）に記載の態様によれば、反射鏡の略上下方向の凹面の曲率半径が、上部領域から下部領域に向かうに連れて小さくなる。この結果、鏡像の歪みを低減することができる。同時に、一定速度で車両に近づく対象物の見え方の急激な変化を抑制することができる。
さらに、上記（５）に記載の態様によれば、鏡面の曲率が徐々に変化する。この結果、光の集中を防止することができる。
したがって、上記（５）に記載の態様によれば、視認性をより向上させることができる。
【００１６】
上記（６）に記載の態様によれば、反射鏡の略上下方向の凹面の下端近傍領域の曲率半径が他の領域の曲率半径に比較して急激に縮小している。この結果、対象物の車両に対する相対位置を把握するために必要となる自車両の近傍の像を狭い範囲に確実に映し出すことができる。また、車体後方の他の対象物の像を残余の鏡面の広い範囲に映し出すことも可能になる。
【００１７】
上記（７）に記載の態様によれば、反射鏡の略上下方向の凹面の下端近傍領域で車体後端部を映すように設定されている。この結果、反射鏡の大型化を招くことなく対象物の車両に対する相対位置を乗員により確実に把握させることができる。
【図面の簡単な説明】
【００１８】
【図１】図１は、本発明の第一実施形態に係るリヤアンダーミラーを採用した車両の    後部側の側面図である。
【図２】図２は、同実施形態に係るリヤアンダーミラーを採用した車両の室内後部の    斜視図である。
【図３】図３は、同実施形態に係るリヤアンダーミラーの斜視図である。
【図４】図４は、同実施形態に係るリヤアンダーミラーの反射面の曲率半径と形状と    の設定を模式的に示した図である。
【図５】図５は、比較例に係る反射面の曲率半径と形状との設定を模式的に示した図    である。
【図６Ａ】図６Ａは、比較例に係る反射鏡を通して見える像を示す。
【図６Ｂ】図６Ｂは、本発明の第一実施形態に係るリヤアンダーミラーの反射鏡を通    して見える像を示す。
【図７Ａ】図７Ａは、比較例に係る反射鏡を通した対象物の移動イメージを示す。
【図７Ｂ】図７Ｂは、本発明の第一実施形態に係るリヤアンダーミラーの反射鏡を通    した対象物の移動イメージを示す。
【図８】図８は、本発明の第一実施形態に係るリヤアンダーミラーの、図３のＡ−Ａ    断面に対応する断面図である。
【図９Ａ】図９Ａは、比較例に係る反射鏡を通して見える像を示す。
【図９Ｂ】図９Ｂは、比較例に係る反射鏡を通して見える像を示す。
【図９Ｃ】図９Ｃは、本発明の第一実施形態に係るリヤアンダーミラーの反射鏡を通    して見える像を示す。
【図９Ｄ】図９Ｄは、本発明の第一実施形態に係るリヤアンダーミラーの反射鏡を通    して見える像を示す。
【図１０】図１０は、第一参考例に係るリヤアンダーミラーを採用した車    両の後部の側面図である。
【図１１】図１１は、第一参考例に係るリヤアンダーミラーを採用した車    両の模式的な平面図である。
【図１２】図１２は、第一参考例に係るリヤアンダーミラーの反射鏡を模    式的に示す図である。
【図１３】図１３は、第一参考例に係るリヤアンダーミラーと、鏡面に映    る像とを示した図である。
【図１４】図１４は、比較例に係るリヤアンダーミラーと鏡面に映る像とを示した図    である。
【図１５】図１５は、第一参考例の変形例を示す車両の模式的な平面図で    ある。
【図１６】図１６は、第一参考例の変形例に係るリヤアンダーミラーの反    射鏡を模式的に示す図である。
【図１７】図１７は、第二参考例に係るリヤアンダーミラーを採用した車    両の模式的な平面図である。
【図１８】図１８は、本発明の第二参考例に係るリヤアンダーミラーの斜視図であ    る。
【図１９】図１９は、本発明の第二参考例に係るリヤアンダーミラーの反射鏡を模    式的に示す図である。
【図２０】図２０は、本発明の第二参考例に係るリヤアンダーミラーと鏡面に映る    像とを示した図である。
【図２１】図２１は、本発明の第二参考例の変形例に係るリヤアンダーミラーの反    射鏡を模式的に示す図である。
【発明を実施するための形態】
【００１９】
以下、本発明の一実施形態について、図面に基づいて説明する。
図１は、跳ね上げ式のバックドア２（テールゲート）を備えたワンボックスタイプの車両１の後部側の側面を示す図である。同図中３は、バックドア２の上部に設けられたリヤウィンドウである。４は、車両のルーフパネルを示す。５は、後部側のサイドドアを示す。Ｗｒは、後輪を示す。なお、リヤウィンドウ３にはリヤウィンドウガラス６が取り付けられている。
【００２０】
図２は、バックドア２を車室内側から見た図である。同図中７は、車室内の天井部を示す。８は、バックドア２が開閉される車体側のドア開口部を示す。１１は、車室内の天井部７に設置された室内灯を示す。
バックドア２は、ルーフパネル４の左右の側縁の後端部に図示しないドアヒンジを介して回動自在に取り付けられている。バックドア２は、車幅方向の中央部が最も外側（車体後方側）に突出するように外側に湾曲する。バックドア２の上端部がルーフパネル４と滑らかに連続するように、バックドア２の上縁部が前部上方に向かって湾曲している。リヤウィンドウ３（リヤウィンドウガラス６）の上辺に隣接するバックドア２の車室内側の上縁部には、車室内の乗員に向けて車両１の後部下方（図１中のＢの領域）を映すリヤアンダーミラー１０が設置されている。リヤアンダーミラー１０は、バックドア２の車幅方向の中央位置（車両１の車幅方向中央位置）に取り付けられている。
【００２１】
図３は、リヤアンダーミラー１０の斜視図である。リヤアンダーミラー１０は、リヤウィンドウガラス６を通して車体の後部下方を映す反射鏡１２と、この反射鏡１２を直接保持する樹脂製のハウジング１３と、バックドア２の上縁部に直接締結固定され、最終的にハウジング１３がビス止め等によって取り付けられる図示しないベースプレートと、を備えている。なお、本実施形態の場合、リヤアンダーミラー１０には、図示しないハイマウントストップランプのユニットが一体に組み込まれている。ハイマウントストップランプは、灯体面がリヤウィンドウガラス６の車室内側面に臨むようにベースプレートに取り付けられている。
【００２２】
反射鏡１２は、略上下方向が凹面になり略水平方向が凸面になる鏡面を有する凹凸面鏡を含む。本実施形態の場合、反射鏡１２の鏡面の形状は、三次元的に湾曲した凹凸面を、下辺側が上辺側よりも長い台形状に打ち抜いた形状である。したがって、反射鏡１２は、正面視で下辺が上辺よりも長い台形状である。そして、反射鏡１２は、バックドア２が閉じている状態で、鏡面の下端側が車体の後部下方側に傾くようにベースプレートとハウジング１３を介してバックドア２に設置されている。反射鏡１２は、このような設置により、車体の後部下方の広い範囲を正立鏡像として映すことができる。そして、運転席に着座した乗員（運転者）はこの正立鏡像を見ることが可能になる。反射鏡１２によれば、凹凸面鏡の略水平方向の凸面によって、車体の後部下方が、車幅方向に広角度に映し出される。また、反射鏡１２は、略上下方向の凹面によって、鏡面に映る像を、運転者にとって把握し易い正立鏡像とする。
【００２３】
ここで、反射鏡１２の凹面側と凸面側の曲率半径は、上下方向で一定ではない。これらの曲率半径は、それぞれ以下で説明するように設定されている。
図４は、本実施形態に係るリヤアンダーミラー１０の反射鏡１２の曲率半径と形状との設定を模式的に示した図である。図５は、比較例に係る反射鏡２００の曲率半径と形状との設定を同様に模式的に示した図である。
図５に示す比較例に係る反射鏡２００では、略上下方向の凹面の曲率半径Ｒｖが一定に設定されている。反射鏡２００の鏡面は、凹凸湾曲面の基準点ｃ（上下方向の中心位置）を中心に略正方形状に打ち抜かれている。
これに対し、図４に示す本実施形態に係る反射鏡１２の場合、略上下方向の凹面の曲率半径Ｒｖは、上部領域に比較して下部領域の方が小さくなるように設定されている。つまり、反射鏡１２の略上下方向の凹面の曲げは下部領域ほど強くなっている。そして、反射鏡１２の鏡面は、基準点ｃを中心に略正方形状に打ち抜かれていない。代わりに、反射鏡１２の鏡面は、基準点ｃよりも下方の部位から、下辺側が上辺側よりも長く、かつ左右対称となる台形状に打ち抜かれている。
【００２４】
また、本実施形態に係る反射鏡１２の場合、鏡面の凹面側の曲率半径Ｒｖは上部領域から下部領域に向かって徐々に変化している。ただし、最下端領域については、後に詳述するように他の部位に比較して急激に変化している。また、上記の鏡面の曲率半径の変化は、鏡面の断面が方物線を描かないように設定されている。
【００２５】
また、略水平方向の凸面の曲率半径Ｒｈについては、本実施形態に係る反射鏡１２（図４）も比較例に係る反射鏡２００（図５）も、略水平方向の一断面内では一定である。
ただし、図５に示す比較例に係る反射鏡２００では、基準点ｃを通る上下方向の中央の略水平方向の凸面の曲率半径Ｒｈが最も小さい。そして、基準点ｃから上下にずれるにつれて略水平方向の凸面の曲率半径Ｒｈが大きくなっている。
これに対し、図４に示す本実施形態に係る反射鏡１２の場合、略水平方向の凸面の曲率半径Ｒｈは、上部領域から下部領域に向かって徐々に大きくなっている。つまり、反射鏡１２の略水平方向の凸面の曲げは下部領域ほど弱くなっている。
【００２６】
図６Ａ、６Ｂは、反射鏡１２の略水平方向の凸面の曲率半径Ｒｈを反射鏡１２の上部領域から下部領域に向かって変化させたことによる視認上の効果を比較説明するための図である。図６Ａは、車体後方に延出する平行な２本の直線Ｌ１，Ｌ２を比較例に係る反射鏡２００で映した時の見え方を示す。図６Ｂは、同様の平行な２本の直線Ｌ１，Ｌ２を本実施形態に係る反射鏡１２で映した時の見え方を示している。なお、図６Ａ、６Ｂ中の１５は、鏡面に映ったリヤバンパー等の自車両の車体後部を示す。
【００２７】
図６Ａに示す比較例に係る反射鏡２００の場合、反射鏡２００の鏡面は、凹凸湾曲面の基準点ｃを中心に略正方形状に打ち抜いた形状である。基準点ｃから上方側または下方側に向かうにつれて、略水平方向の凸面の曲率半径が大きくなっている。このため、直線Ｌ１，Ｌ２が中央付近で内側に歪むように映る。この結果、反射鏡２００を覗き込む乗員に違和感を与えてしまう。
これに対し、図６Ｂに示す本実施形態に係る反射鏡１２の場合、反射鏡１２の鏡面の形状は、凹凸湾曲面の基準点ｃより下方の部位から、下辺側が上辺側よりも長く、かつ、左右対称の台形状に打ち抜いた形状である。上辺から下辺に向かって曲率半径Ｒｈが徐々に大きくなるように（曲げが徐々に弱くなるように）、略水平方向の凸面が設定されている。このため、上辺側での鏡面による略水平方向の鏡像の縮尺率がより大きくなる。したがって、反射鏡１２の鏡面に映る２本の直線Ｌ１，Ｌ２は、手前側から奥側に向かって直線的に映るように矯正される。この反射鏡１２は、鏡面を覗き込む乗員に、奥行き方向の歪みによる違和感を与えることがない。
【００２８】
図７Ａ、７Ｂは、反射鏡１２の略上下方向の凹面の曲率半径Ｒｖを変化させたことによる視認上の効果を比較し説明するための図である。図７Ａは、車両の後退時に車体後部が対象物に一定速度で近づく時に、比較例に係る反射鏡２００に映る対象物の移動速度のイメージを矢印で示した図である。図７Ｂは、車両の後退時に車体後部が対象物に一定速度で近づく時に、本実施形態に係る反射鏡１２に映る対象物の移動速度のイメージを同様に矢印で示した図である。なお、これらの図において、矢印の大きさは、鏡面に映る対象物の移動速度が速いほど大きくなる。
【００２９】
図７Ａに示した比較例に係る反射鏡２００の場合、反射鏡２００の略上下方向の凹面が一定の曲率半径となっている。このため、車体が対象物に近づくにつれて対象物の近接速度が増大するように映る。この結果、反射鏡１２を覗き込む乗員に違和感を与えてしまう。
これに対し、図７Ｂに示した本実施形態に係る反射鏡１２の場合、反射鏡１２の略上下方向の凹面が、上辺から下辺に向かって曲率半径Ｒｖが徐々に小さくなるように（曲げが徐々に強くなるように）設定されている。このため、下辺側での鏡面による略上下方向の縮尺率がより大きくなる。したがって、反射鏡１２の鏡面に映る対象物は、一定速度で接近するように矯正されることになる。この反射鏡１２の場合、鏡面を覗き込む乗員に対象物の移動速度の変化による違和感を与えることがない。
【００３０】
図８は、図３のＡ−Ａ断面に対応する反射鏡１２の略上下方向の断面を示す。反射鏡１２の下端近傍の領域ａに、前記略上下方向の前記凹面の曲率半径が他の領域に比較して小さい強曲げ領域が備えられている。したがって、前述のように反射鏡１２の鏡面の略上下方向の凹面の曲率半径Ｒｖは、強曲げ領域の曲率半径Ｒｖが他の領域に比較して小さいように設定されている。つまり、反射鏡１２の下端近傍の領域ａは、他の領域ｂに比較して曲率半径Ｒｖが小さいように設定されている。この下端近傍の曲率半径Ｒｖが他の領域に比較して小さい領域ａは、運転席の乗員が反射鏡１２を覗き込んだ時に、乗員の視点の高さが多少違っても、その領域ａに車体後部１５が確実に映り込むように設定されている。
【００３１】
図９Ａ，９Ｂ、９Ｃ、９Ｄは、反射鏡１２の下端近傍の領域ａの曲率半径Ｒｖを急激に縮小させたことによる視認上の効果を比較し説明するための図である。図９Ａは、鏡面の下端近傍の領域ａの曲率半径Ｒｖを急激に縮小させていない比較例に係る反射鏡３００を座高の低い乗員が覗き込んだ時の見え方を示す。図９Ｂは、同じ反射鏡３００を座高の高い乗員が覗き込んだ時の見え方を示している。図９Ｃは、鏡面の下端近傍の領域ａの曲率半径Ｒｖを急激に縮小させた本実施形態に係る反射鏡１２を座高の低い乗員が覗き込んだ時の見え方を示す。図９Ｄは、同じ反射鏡１２を座高の高い乗員が覗き込んだ時の見え方を示す。
【００３２】
図９Ａに示す通り、反射鏡３００を座高の低い乗員が覗き込んだ場合には、反射鏡３００の鏡面内への車体後部１５の映り込み量が多い。このため、自車両の車体後部１５を鏡面に確実に映り込ませるためには、車体の後部遠方の映り込み量を犠牲にするか、鏡面自体の上下方向の長さを延ばさなければならない。また、図９Ｂに示す通り、反射鏡３００を座高の高い乗員が覗き込んだ場合には、反射鏡３００の鏡面内への車体後部１５の映り込み量が少ない。このため、車体後部１５と鏡面内に映り込んだ対象物との位置関係や距離感が把握し難い。
これに対し、図９Ｃ、９Ｄに示す本実施形態に係る反射鏡１２の場合、鏡面の下端近傍の領域ａの曲率半径Ｒｖが急激に縮小している。また、鏡面の下端近傍領域での上下方向の縮尺率が大きくなっている。このため、この領域で上下方向に広い領域を映り込ませることができる。運転席の乗員の視点高さが異なっても自車両の車体後部１５の映り方（映り込み量）は大きく変動することがない。したがって、この反射鏡１２の場合、車体の後部遠方の映り込み量が少なくなったり、鏡面自体の上下方向の長さを延ばしたりすることなく、自車両の車体後部１５を乗員の視点高さの相違に拘わらず鏡面に確実に映り込ませることができる。
【００３３】
以上のように、本実施形態に係るリヤアンダーミラー１０は、凹凸面鏡から成る反射鏡１２が、正面視で下辺が上辺よりも長い台形状に形成されている。このため、反射鏡１２の上辺側の車体前後方向の占有スペースを小さくしつつ、車体の後部近傍を映し出す反射鏡１２の下辺側の反射領域を充分に広く確保することができる。
【００３４】
すなわち、このリヤアンダーミラー１０の場合、反射鏡１２の上辺が下辺より短くなる。また、略水平方向の凸面の円弧も小さくなる。このため、反射鏡１２の上部側の車体前後方向の占有長さが短くなる。その結果、リヤアンダーミラー１０の上部領域の車室内への張り出し量が小さくなる。
一方、反射鏡１２の下辺は上辺よりも長いことから、下辺側の反射領域を充分に広く確保できる。下辺側では、反射鏡１２の略水平方向の凸面の円弧が長くなることから、車体前後方向の占有長さが長くなる。しかし、リヤアンダーミラー１０の後方に配置されるリヤウィンドウガラス６は車体の後部下方に向かって斜めに傾斜している。このため、リヤアンダーミラー１０の下部側領域の車体前後方向の占有スペースの増大は、このリヤウィンドウガラス６の傾斜によって許容される。したがって、リヤアンダーミラー１０の下部側領域の車室内方向の張り出し量は大きく増大することがない。
【００３５】
特に、本実施形態のように同じハウジング１３内にハイマウントストップランプのユニットが内蔵されるリヤアンダーミラー１０では、全体容積が大きくなって車室内スペースを圧迫する傾向にある。しかし、本実施形態では視認性の低下を招くことなく車室内スペースの圧迫を有効に低減することができる。
【００３６】
このリヤアンダーミラー１０は、反射鏡１２の鏡面が左右対称の台形状に形成されていることから、凹凸面の曲率の設定が容易で、成形が容易であるという利点がある。
また、反射鏡１２の鏡面が左右対称であるため、凹凸面鏡特有の課題である左右の目の示唆による見難さも容易に解消することができる。
【００３７】
本実施形態に係るリヤアンダーミラー１０では、反射鏡１２の下部領域の凹面の曲率半径Ｒｖが上部領域の凹面の曲率半径Ｒｖよりも小さく設定されている。このため、車体の後部近傍を映す反射鏡１２の下部領域では大きな縮尺率をもって前後方向の視認範囲を拡大することができる。この結果、車体と車体近傍の対象物との位置関係を明確に映し出すことができる。また、比較的後部遠方を映す反射鏡１２の上部領域では、上下方向に歪みの少ない視認の良好な像を映し出すことができる。
また、このリヤアンダーミラー１０では、反射鏡１２の凹面の曲率半径Ｒｖが上辺から下辺に向かうに連れて小さくなるように設定されている。このため、反射鏡１２に映る対象物の歪みを低減することができる。車両が対象物に一定速度で接近する時に、前述のように対象物の接近速度が急激に変化して見えることも防止できる。
【００３８】
さらに、このリヤアンダーミラー１０では、反射鏡１２の下部領域の凸面の曲率半径Ｒｈが上部領域の凸面の曲率半径Ｒｈよりも大きく設定されている。このため、車体の後部近傍を映す反射鏡１２の下部領域では、車幅方向の歪みの少ない視認の良好な像を映し出すことができる。また、比較的後部遠方を映す反射鏡１２の上部領域では、大きな縮尺率をもって車幅方向の広い範囲を映し出すことができる。
このリヤアンダーミラー１０では、反射鏡１２の上部領域の車幅方向の鏡面の長さが下部領域の車幅方向の鏡面の長さよりも短くなっている。しかし、上部領域の縮尺率が大きく設定されている。このため、車体後部の遠方側を車幅方向に広角に映し出すことができる。したがって、このリヤアンダーミラー１０を用いることにより、例えば、車庫入れ時のように最大舵角で車両を後退させる場合にも、車両の進行予測範囲を鏡面に確実に映し出すことができる。
【００３９】
また、このリヤアンダーミラー１０では、反射鏡１２の凸面の曲率半径Ｒｈが上辺から下辺に向かうに連れて大きくなるように設定されている。このため、反射鏡１２に映る対象物の歪み、特に、車体後方側に延出する直線の歪みを低減して視認性を向上させることができる。
【００４０】
さらに、このリヤアンダーミラー１０によれば、反射鏡１２の鏡面（略水平方向の凸面や上下方向の凹面）の断面が方物線以外の徐変曲線を描くように設定されている。この結果、光の集中を防止し、鏡面の見易さを向上させることができる、という利点もある。
【００４１】
また、本実施形態に係るリヤアンダーミラー１０は、反射鏡１２の下端近傍の領域に、略上下方向の凹面の曲率半径Ｒｖが他の領域の曲率半径Ｒｖと比較して小さい強曲げ領域ａを備えている。この結果、車体後部の自車両の近傍の像を下端側の狭い範囲に確実に映し出し、その分、車体後部の遠方領域の像を残余の鏡面の広い範囲に映し出すことができる。したがって、反射鏡１２の上下方向の高さを低く抑えたまま、鏡面に映る前後範囲を拡大することができる。
【００４２】
特に、本実施形態に係るリヤアンダーミラー１０の場合、強曲げ領域ａには、乗員毎の視点高さの相違に拘わらず常に車体後部１５が映り込むように設定されている。このため、反射鏡１２の大型化を招くことなく車体後部１５に対する対象物の相対位置を乗員に確実に把握させることができる。
【００４３】
ところで、車体の後部下方を映す種類のリヤアンダーミラーは、通常、運転席の乗員が着座したまま振り返った状態で使用される。このため、リヤアンダーミラーの反射鏡の車幅方向の設置位置がある程度限定されてしまう。
【００４４】
この結果、車体の後部下方の車幅方向中心から同距離にある対象物であっても、車幅方向の右側にある対象物と左側にある対象物とでは、反射鏡を通して見える対象物の大きさが違って見える。特に、反射鏡に凸面や凹面等の湾曲した鏡面が用いられる場合には、対象物の大きさの違いが顕著となる。このように車幅方向の左右で対象物の大きさが異なって見える場合には、運転者による対象物の大きさや位置の把握が難しくなる。
【００４５】
そこで以下で説明する参考例は、車体の後部下方の対象物が車幅方向の左側にある場合と右側にある場合での見え方の差異を少なくして、車体の後部下方の状況を迅速かつ正確に把握することのできるリヤアンダーミラーを提供する事を目的とする。
【００４６】
以下、参考例を図面に基づいて説明する。最初に、図１０〜図１４に示す第一参考例について説明する。図１０は、跳ね上げ式のバックドア１００２（テールゲート）を備えたワンボックスタイプの車両１００１の後部側面を示す図である。同図中１００３は、バックドア１００２の上部に設けられたリヤウィンドウであり、１００４は、車両のルーフパネル、１００６は、リヤウィンドウ１００３に取り付けられたリヤウィンドウガラスである。
【００４７】
図１１は、車両１００１の模式的な平面図であり、同図中ＳＷ１０００は、運転席のステアリングホィールであり、ｍ１０００は、運転席に着座した乗員である。第一参考例に係る車両１００１は、運転席（ステアリングホイールＳＷ１０００）が進行方向右側にある右ハンドル車である。また、図１１中Ｔ１００１，Ｔ１００２は、路上に設置してあるコーン等の目印対象物である。これらの目印対象物Ｔ１００１，Ｔ１００２は、同一形状・同一サイズとなっている。
【００４８】
バックドア１００２は、ルーフパネル１００４の左右の後端部に図示しないドアヒンジを介して開閉可能に取り付けられている。バックドア１００２は、車幅方向の中央部が最も外側（車体後方側）に突出するように外側に湾曲するとともに、ルーフパネル１００４と滑らかに連続するように上縁部が前部上方に向かって湾曲している。リヤウィンドウ１００３（リヤウィンドウガラス１００６）の上辺に隣接するバックドア１００２の車外側の上縁部には、車室内の乗員ｍ１０００に向けて車両１００１の後部下方（図１０中のＢ１０００の領域）を映すリヤアンダーミラー１０１０がブラケット１００７を介して取り付けられている。第一参考例に係るリヤアンダーミラー１０１０は、バックドア１００２の車幅方向の中心位置（車体後部の車幅方向の中心位置）に設置されている。
【００４９】
図１２，図１３は、リヤアンダーミラー１０１０を示す図である。
リヤアンダーミラー１０１０は、反射鏡１０１２と、反射鏡１０１２を保持するホルダー１０１３（図１１，図１３参照）を備え、ホルダー１０１３にブラケット１００７（図１０参照）が連結されている。なお、図１２では、反射鏡１０１２のみを単体で示し、図１３では、反射鏡１０１２に映る車体後部下方の像（鏡像）を併せて記載している。また、図１３中、１００２ｍは、反射鏡１０１２に映ったバックドア１００２の鏡像であり、Ｔ１００１ｍ，Ｔ１００２ｍは、反射鏡１０１２に映った目印対象物Ｔ１００１，Ｔ１００２の鏡像である。
【００５０】
第一参考例に係る反射鏡１０１２は、上下方向と車幅方向が凸形状の鏡面を有する凸面鏡によって構成されている。
反射鏡１０１２の車幅方向の湾曲は一定の曲率半径ではなく、図１２に示すように、運転席（乗員Ｍ１０００）に近接する車幅方向の一端側（車両右側）の領域の曲率半径Ｒｈ１００１よりも車幅方向の他端側（車両左側）の領域の曲率半径Ｒｈ１００２の方が大きくなるように設定されている。また、反射鏡１０１２の上下方向の湾曲も一定の曲率半径ではなく、運転席（乗員Ｍ１０００）に近接する車幅方向の一端側（車両右側）の領域の曲率半径Ｒｖ１００１よりも車幅方向の他端側（車両左側）の領域の曲率半径Ｒｖ１００２の方が大きくなるように設定されている。
そして、反射鏡１０１２の車幅方向と上下方向のいずれの曲率半径についても、運転席に近接する車幅方向の一端側から車幅方向の他端側に向かって徐々に大きくなるように設定されている。
【００５１】
また、反射鏡１０１２は、運転席の乗員Ｍ１０００が車体中央側から後方を振り返って覗き込んだ時（図１１参照）に、図１３に示すように、反射鏡１０１２の幅方向の中心Ｃｍ１０００と、反射鏡１０１２に映る車体後部（バックドア１００２ｍ）の車幅方向の中心Ｃｃ１０００とが合致するように設定されている。
【００５２】
以上のように、第一参考例に係るリヤアンダーミラー１０１０は、運転席に近接する車幅方向の一端側の領域の曲率半径Ｒｈ１００１，Ｒｖ１００１よりも車幅方向の他端側の領域の曲率半径Ｒｈ１００２，Ｒｖ１００２の方が大きくなるように反射鏡１０１２の湾曲が設定されている。このため、反射鏡１０１２上における車幅方向の一端側の領域での鏡像の縮尺率が、車幅方向の他端側の領域での鏡像の縮尺率よりも大きくなる。
【００５３】
図１４は、車幅方向の一端側の領域と他端側の領域とで曲率半径が一定になるように反射鏡１０１２の湾曲を設定した比較例の鏡像の見え方を示す図である。同図に示すように、曲率半径が一定である場合には、運転席の乗員の視点から鏡面上の反射位置までの距離の差によって同一形状・同一サイズの対象物であっても、車体幅方向の右側（運転席に近接する側）にある対象物と左側（運転席と逆側）にある対象物とで見え方が違ってしまう。具体的には、車幅方向の右側にある対象物の鏡像、例えば、目印対象物Ｔ１００１の鏡像Ｔ１００１ｍは、車幅方向の左側にある対象物の鏡像、例えば、目印対象物Ｔ１００２の鏡像Ｔ１００２ｍよりも大きく見えてしまう。
【００５４】
これに対し、第一参考例に係るリヤアンダーミラー１０１０は、反射鏡１０１２上における車幅方向の一端側（運転席に近接する側）の領域と他端側の領域での曲率半径の相違により、上述のように一端側の領域での縮尺率が他端側の領域での縮尺率よりも大きくなるように設定されている。このため、運転席の乗員Ｍ１０００の視点から鏡面上の反射位置までの距離の差による左右の対象物の見え方の相違が相殺される。したがって、このリヤアンダーミラー１０１０を用いることにより、運転者Ｍ１０００は、図１３に示すように車幅方向の左側にある目印対象物Ｔ１００１と右側にある目印対象物Ｔ１００２とをほぼ同一形状・同一サイズの鏡像Ｔ１００１ｍ，Ｔ１００２ｍとして視認することができる。
【００５５】
第一参考例に係るリヤアンダーミラー１０１０で採用する反射鏡１０１２は、運転席に近接する車幅方向の一端側の領域と車幅方向の他端側の領域とで、車幅方向の中心Ｃｃ１０００から同距離にある同一サイズの対象物が同等の大きさの像として映るように設定されている。したがって、運転者Ｍ１０００は、車体の後部下方の対象物の大きさや距離感を迅速かつ正確に把握することができる。
【００５６】
また、第一参考例に係るリヤアンダーミラー１０１０では、運転席に近接する車幅方向の一端側から車幅方向の他端側に向かって反射鏡の凸面の曲率半径が徐々に大きくなるように設定されている。このため、車体の後部下方の対象物が車幅方向のいずれの位置にある場合にも見え方の差異を少なくし、対象物の大きさや距離感を運転者に正確に把握させることができる。さらに、このリヤアンダーミラー１０１０によれば、反射鏡１０１２の車幅方向での曲率半径の急激な変化が軽減される。これにより、鏡像の歪みを少なくして視認性の低下を抑制することができる。
【００５７】
さらに、第一参考例によれば、リヤアンダーミラー１０１０が、車体の後方に最も突出するバックドア１００２の車幅方向の中心Ｃｃ１０００に配置されている。このため、車体の後部下方の車幅方向の広い範囲を反射鏡１０１２で良好に映し出すことができる。
【００５８】
また、第一参考例によれば、運転席の乗員Ｍ１０００が車体中央側から後方を振り返って反射鏡１０１２を覗き込んだ時に、反射鏡１０１２の幅方向の中心Ｃｍ１０００と、反射鏡１０１２に映る車体後部（バックドア１００２ｍ）の車幅方向の中心Ｃｃ１０００とが合致するように設定されている。このため、反射鏡１０１２を覗き込む乗員Ｍ１０００は、反射鏡１０１２に映る車体幅方向の中心Ｃｃ１０００を鏡面上から探してから中心Ｃｃ１０００と対象物との距離を把握するといった冗長な認識過程を経ることなく、対象物までの距離を即時に認識することができる。すなわち、乗員Ｍ１０００は、反射鏡１０１２の幅方向の中心Ｃｍ１０００から鏡面に映った対象物までの距離を基にして、車体幅方向の中心Ｃｃ１０００から対象物までの距離を直接的に認識することができる。したがって、運転席から反射鏡１０１２を覗き込んだ乗員Ｍ１０００は車体の後部下方の状況を迅速かつ正確に把握することができる。
【００５９】
以上では、運転席が進行方向の右側にある右ハンドル車にリヤアンダーミラー１０１０を適用した例について説明した。図１５に示すように、運転席が進行方向の左側にある左ハンドル車に対しても同様に適用することができる。図１６は、左ハンドル車に適用するリヤアンダーミラー１０１０の反射鏡１０１２を示す図である。なお、図１５，図１６では、前述した例と同一部分に同一符号を付してあり、車両には符号１００１Ａを付してある。
左ハンドル車の場合、前述した右ハンドルの場合とは運転席の位置が左右で異なる。このため、反射鏡１０１２上の凸面の曲率半径の大きい領域が左右で異なる。運転席（乗員Ｍ１０００）に近接する車幅方向の一端側の領域の曲率半径Ｒｈ１００１よりも車幅方向の他端側の領域の曲率半径Ｒｈ１００２の方が大きくなっている。
このリヤアンダーミラー１０１０の場合にも、前述と同様の効果を得ることができる。
【００６０】
次に、図１７〜図２０に示す第二参考例について説明する。この第二参考例の説明では、前述した第一参考例と同一部分に同一符号を付し、重複する説明を省略する。
図１７は、車両１１０１の模式的な平面図である。車両１１０１は、車体後部に跳ね上げ式のバックドア１００２を備えた右ハンドル車である。バックドア１００２の車室内側の上縁部には、運転席の乗員Ｍ１０００に向けて車体の後部下方を映すリヤアンダーミラー１１１０が取り付けられている。第二参考例に係る場合、リヤアンダーミラー１１１０はリヤウィンドウガラス１００６の前方側（車室内側）に配置されている。また、リヤアンダーミラー１１１０は、バックドア１００２（車体後部）の車幅方向の中心位置に配置されている。
【００６１】
図１８〜図２０は、リヤアンダーミラー１１１０を示す図である。リヤアンダーミラー１１１０は、車体の後部下方を映す反射鏡１１１２と、この反射鏡１１１２を保持する樹脂製のハウジング１０２３と、バックドア１００２の車室内側の上縁部に直接ボルト固定され最終的にハウジング１０１３が取り付けられる図示しないベースプレートと、を備えている。なお、図１９では、反射鏡１１１２のみを単体で示し、図２０では、反射鏡１１１２に映る車体後部下方の像（鏡像）を併せて記載している。
【００６２】
反射鏡１１１２は、車両上下方向が凹形状になり車幅方向が凸形状になる鏡面を有する凹凸面鏡によって構成されている。第二参考例に係る場合、反射鏡１１１２は、三次元的に湾曲した凹凸面を、下辺側が上辺側よりも長い略台形状に打ち抜いた形状とされている。そして、反射鏡１１１２は、バックドア１００２が閉じている状態で、鏡面の下端側が車体の後部下方側に傾くようにハウジング１０２３とベースプレートを介してバックドア１００２に設置される。反射鏡１１１２は、このような設置により、運転席に着座した乗員（運転者）に車体の後部下方の広い範囲を正立鏡像として映すことができる。つまり、反射鏡１１１２では、凹凸面鏡の略水平方向の凸面によって車体の後部下方を車幅方向に広角度に映し、略上下方向の凹面によって鏡面に映る像を運転者にとって状況を把握し易い正立鏡像とする。
【００６３】
ここで、反射鏡１１１２の車幅方向の凸状の湾曲は一定の曲率半径ではなく、図１９に示すように、運転席（乗員Ｍ１０００）に近接する車幅方向の一端側（車両右側）の領域の曲率半径Ｒｈ１００３よりも車幅方向の他端側（車両左側）の領域の曲率半径Ｒｈ１００４の方が大きくなるように設定されている。また、反射鏡１１１２の上下方向の凹状の湾曲も一定の曲率半径ではなく、運転席（乗員Ｍ１０００）に近接する車幅方向の一端側（車両右側）の領域の曲率半径Ｒｖ１００３よりも、車幅方向の他端側（車両左側）の領域の曲率半径Ｒｖ１００４の方が大きくなるように設定されている。反射鏡１１１２の曲率半径は車幅方向と上下方向のいずれについても、運転席に近接する車幅方向の一端側から車幅方向の他端側に向かって徐々に大きくなるように設定されている。
【００６４】
また、第二参考例に係る場合も、反射鏡１１１２は、運転席の乗員Ｍ１０００が車体中央側から後方を振り返って覗き込んだ時（図１７参照）に、図２０に示すように、反射鏡１１１２の幅方向の中心Ｃｍ１０００と、反射鏡１１１２に映る車体後部（バックドア１００２ｍ）の車幅方向の中心Ｃｃ１０００とが合致するように設定されている。
【００６５】
以上のように、第二参考例に係るリヤアンダーミラー１１１０の場合も、運転席に近接する車幅方向の一端側の領域の曲率半径Ｒｈ１００３，Ｒｖ１００３よりも車幅方向の他端側の領域の曲率半径Ｒｈ１００４，Ｒｖ１００４の方が大きくなるように反射鏡１１１２の凸面と凹面の湾曲が設定されている。このため、反射鏡１１１２上における車幅方向の一端側の領域での鏡像の縮尺率が車幅方向の他端側の領域での鏡像の縮尺率よりも大きくなる。この結果、前記リヤアンダーミラー１１１０では、反射鏡１１１２の左右の領域での鏡像の縮尺率の相違により、運転席の乗員Ｍ１０００の視点から鏡面上の反射位置までの距離の差による左右の対象物の見え方の相違を相殺することができる。
これにより、運転席の乗員Ｍ１０００は、図２０に示すように、車幅方向の中心Ｃｃ１０００から左右等距離に配置された目印対象物Ｔ１００１，Ｔ１００２をほぼ同一形状・同一サイズの鏡像Ｔ１００１ｍ，Ｔ１００２ｍとして視認することができる。したがって、運転者Ｍ１０００は、後部下方の対象物の大きさや距離感を迅速かつ正確に把握することができる。
【００６６】
また、第二参考例に係るリヤアンダーミラー１１１０では、反射鏡１１１２の車幅方向の凸面と上下方向の凹面のいずれの湾曲についても、車幅方向の一端側から他端側に向かうに連れて曲率半径が大きくなるように設定されている。このため、対象物の大きさや距離感を運転者に正確に把握させることができる。また、鏡面の歪みを少なくして視認性を向上させることができる。
そして、このリヤアンダーミラー１１１０の場合、反射鏡１１１２が凹凸面鏡によって構成され、図２０に示すように車体の後部下方を正立鏡像として映すことができる。この結果、運転席の乗員Ｍ１０００に違和感を与えることなく、車体の後部下方の状況を正確に認識させることができる。
【００６７】
図２１は、左ハンドル車に適用する場合のリヤアンダーミラー１１１０の反射鏡１１１２を示す。
左ハンドル車の場合の反射鏡１１１２は、凹面，凸面のいずれについても曲率半径の大きい領域が左右で異なる。運転席（乗員Ｍ１０００）に近接する車幅方向の一端側の領域の曲率半径Ｒｈ１００３よりも車幅方向の他端側の領域の曲率半径Ｒｈ１００４の方が大きくなっている。
【００６８】
なお、上記の参考例では、反射鏡が凸面鏡の場合と凹凸面鏡の場合について説明した。しかし、参考例の技術は、反射鏡が凹面鏡である場合にも適用することができる。凹凸面鏡を反射鏡に用いる場合にも、車幅方向が凹面で上下方向が凸面となるようにしても良い。これらの場合も、運転席に近接する車幅方向の一端側の領域の曲率半径よりも車幅方向の他端側の領域の曲率半径の方が大きくなるように湾曲を設定すれば、同様の効果を得ることができる。
【００６９】
以下、上記の参考例から注出できる特徴的な態様とその効果を列記する。
（ａ）参考例に係るリヤアンダーミラーは、車両の後部のリヤウィンドウの近傍に設けられるリヤアンダーミラーであって、運転席に向けて前記車両の前記後部の下方を映す反射鏡を備え、前記反射鏡の鏡面の曲率半径は、前記運転席に近接する車幅方向の一端側よりも前記車幅方向の他端側の方が大きい。
（ｂ）前記リヤアンダーミラーは、以下のように構成されてもよい：前記鏡面は、略水平方向が凸形状の凸面を備える。
（ｃ）前記リヤアンダーミラーは、以下のように構成されてもよい：前記鏡面は、略水平方向が凹形状の凹面を備える。
（ｄ）前記リヤアンダーミラーは、以下のように構成されてもよい：前記鏡面は、略上下方向が凸形状の凸面を備える。
（ｅ）前記リヤアンダーミラーは、以下のように構成されてもよい：前記鏡面は、略上下方向が凹形状の凹面を備える。
（ｆ）前記リヤアンダーミラーは、以下のように構成されてもよい：前記鏡面は、前記運転席に近接する前記車幅方向の前記一端側から前記車幅方向の前記他端側に向かうに連れて前記曲率半径が大きくなる。
（ｇ）前記リヤアンダーミラーは、以下のように構成されてもよい：前記反射鏡の湾曲は、前記運転席に近接する前記車幅方向の前記一端側と前記車幅方向の前記他端側とで、前記車幅方向の中心から同距離にある同一サイズの対象物が同等の大きさの像として映るように設定されている。
（ｈ）前記リヤアンダーミラーは、以下のように構成されてもよい：前記反射鏡が前記車両の前記後部の前記車幅方向の中心に位置する。
【００７０】
上記（ａ）から（ｅ）に記載の態様によれば、運転席に近接する車幅方向の一端側の領域の曲率半径よりも車幅方向の他端側の領域の曲率半径の方が大きくなるように、反射鏡の湾曲が設定されている。そして、運転者の視点から鏡面上の反射位置までの距離の相違による左右の対象物の見え方の相違が反射鏡の湾曲による縮尺率の相違によって相殺されるようにした。この結果、車体の後部下方の対象物が車幅方向の左側にある場合と右側にある場合での見え方の差異を少なくすることができる。したがって、上記（ａ）から（ｅ）に記載の態様によれば、車体の後部下方の状況を迅速かつ正確に把握することが可能になる。
【００７１】
上記（ｆ）に記載の態様によれば、運転席に近接する車幅方向の一端側から車幅方向の他端側に向かうに連れて曲率半径が徐々に大きくなるように、反射鏡の湾曲が設定されている。この結果、車体の後部下方の対象物が車幅方向のいずれの位置にある場合にも見え方の差異を少なくすることができる。さらに、曲率半径の変化が急激でないように設定されている。これにより、鏡像の歪みを少なくして視認性を高めることができる。
【００７２】
上記（ｇ）に記載の態様によれば、運転席に近接する車幅方向の一端側の領域と車幅方向の他端側の領域とで、車幅方向の中心から同距離にある同一サイズの対象物が同等の大きさの像として映るように設定されている。この結果、対象物の大きさや位置を運転者に正確に把握させることができる。
【００７３】
上記（ｈ）に記載の態様によれば、反射鏡が、車体の後部に最も突出する車幅方向の中心位置に配置される。この結果、車体の後部下方の視認性をより高めることができる。
【符号の説明】
【００７４】
６…リヤウィンドウガラス
１０…リヤアンダーミラー
１２…反射鏡
【図１】
0005571775.tif 000002
【図２】
0005571775.tif 000003
【図３】
0005571775.tif 000004
【図４】
0005571775.tif 000005
【図５】
0005571775.tif 000006
【図６Ａ】
0005571775.tif 000007
【図６Ｂ】
0005571775.tif 000008
【図７Ａ】
0005571775.tif 000009
【図７Ｂ】
0005571775.tif 000010
【図８】
0005571775.tif 000011
【図９Ａ】
0005571775.tif 000012
【図９Ｂ】
0005571775.tif 000013
【図９Ｃ】
0005571775.tif 000014
【図９Ｄ】
0005571775.tif 000015
【図１０】
0005571775.tif 000016
【図１１】
0005571775.tif 000017
【図１２】
0005571775.tif 000018
【図１３】
0005571775.tif 000019
【図１４】
0005571775.tif 000020
【図１５】
0005571775.tif 000021
【図１６】
0005571775.tif 000022
【図１７】
0005571775.tif 000023
【図１８】
0005571775.tif 000024
【図１９】
0005571775.tif 000025
【図２０】
0005571775.tif 000026
【図２１】
0005571775.tif 000027